(57)【特許請求の範囲】
【請求項１】
気化器本体(２)の下方に燃料容器(３)を装着してフロート室(４)を構成し、
このフロート室(４)内でフロート(７)を支持ピン(８)に上下揺動自在に枢支し、
上記フロート(７)に連係したフロート針弁(９)を、上記フロート室(４)内で開口する燃料供給管(10)の燃料出口(11)に臨ませて、フロート(７)の上下揺動により上記フロート針弁(９)で上記燃料出口(11)を開閉するように構成し、
上記フロート室(４)内でフロート(７)の下方に錘案内部材(17)を固設し、
この錘案内部材(17)に、水平面に対し所定角度(θ)傾斜して上記フロート(７)へ向かう傾斜案内面(18)を形成し、
この傾斜案内面(18)上に移動錘(19)を移動可能に配置したエンジンの気化器において、
気化器本体(２)のベンチュリ部(５)から垂設したメインノズル取付筒(６)の下部に、上記錘案内部材(17)を外嵌して固設したことを特徴とする、エンジンの気化器。
【請求項２】
上記移動錘(19)をローラー形状にした、請求項１に記載のエンジンの気化器。
【発明の詳細な説明】
【０００１】
【発明の属する技術分野】
本発明は、エンジンの気化器に関し、さらに詳しくは、空燃混合比等の調整が容易であり、急激に高負荷が加わってもエンストのおそれがなく、しかも所定角度だけ傾斜したときにフロート室内への燃料の流入を確実に停止できるエンジンの気化器に関する。
【０００２】
【発明の背景】
例えば草刈り機では刈刃に草等が絡んだ場合、機体を横に倒して清掃する。また、管理機等では作業休止時や保管時等に機体をほぼ９０度立てたり横倒しにしておく場合がある。これらエンジンを停止して機体を傾けると、気化器からベンチュリ部に燃料が漏れ出し、エアクリーナを汚損して始動不良などの問題を生じるおそれがあるため、気化器内に開口する燃料供給路の燃料出口を閉止して燃料の気化器からの流出を確実に停止する必要がある。
【０００３】
【従来技術】
従来、傾斜時に上記燃料出口を閉止可能に構成したエンジンの気化器には、例えば図７に示す構造のものがある。
即ち、この気化器(51)は、気化器本体(52)の下方に燃料容器(53)を装着してフロート室(54)を構成してあり、このフロート室(54)内でベンチュリ部(55)から垂設したメインノズル取付筒(56)の周囲にフロート(57)を配置し、このフロート(57)を支持ピン(58)で上下揺動自在に枢支してある。
上記フロート(57)にはフロート針弁(59)を連係してあり、このフロート針弁(59)を、フロート室(54)内で開口する燃料供給管(60)の燃料出口(61)に臨ませてある。フロート室(54)内の燃料油面(62)が低下すると、フロート(57)が図において支持ピン(58)の周囲を反時計回りに揺動し、燃料出口(61)が開口して燃料供給管(60)から燃料がフロート室(54)へ流入する。また、燃料油面(62)が上昇するとフロート(57)が図において時計回りに揺動してフロート針弁(59)で燃料出口(61)が閉止され、燃料供給管(60)からの燃料の流入が停止する。
【０００４】
上記支持ピン(58)とフロート(57)との間には戻しスプリング(63)を付設してあり、この戻しスプリング(63)により上記フロート(57)を時計回りに、即ち閉弁方向へ弾圧するように構成してある。
エンジンを停止後、機体とともに気化器(51)を時計回りに傾斜させていくと、最初は燃料油面(62)とともにフロート(57)が気化器(51)に対し反時計回りへ相対的に揺動して上記燃料出口(61)が開口する。その後はフロート(57)が気化器(51)とともに時計回りに回動し、支持ピン(58)の上方へ徐々に立ち上がってくる。この結果、フロート(57)が自重で支持ピン(58)の周囲を反時計回りに揺動しようとする回転力が徐々に弱まっていく。そして、図８に示すように気化器(51)が所定角度(α)、例えば７５度傾斜すると、上記回転力が上記戻しスプリング(63)のバネ力よりも小さくなり、この戻しスプリング(63)のバネ力でフロート(57)が時計回りに、即ち閉弁方向へ揺動して上記燃料出口(61)がフロート針弁(59)で閉止され、燃料供給管(60)からの燃料の流入が停止する。
【０００５】
なお、メインノズル取付筒(56)の下部には傾斜対応パイプ(64)が側方に付設してあり、フロート室(54)内はこの傾斜対応パイプ(64)とメインノズル取付筒(56)内のメインノズル(65)を介してベンチュリ部(55)に連通させてある。図８に示すように、気化器(51)を所定角度(α)傾斜させた状態では上記傾斜対応パイプ(64)の入口(66)が燃料油面(62)上に突出するので、燃料がフロート室(54)内からベンチュリ部(55)へ流出することが抑制される。
【０００６】
【発明が解決しようとする課題】
上記従来の気化器(51)では、フロート(57)の自重と浮力と戻しスプリング(63)のバネ力によりフロート針弁(59)を開閉作動しているが、戻しスプリング(63)のバネ力は誤差が大きく、フロート室(54)内の燃料油面(62)が所定の基準位置から偏位するので、チョーク弁(67)やスロットル弁(68)など気化器(51)の調整が容易でない。
【０００７】
また、戻しスプリング(63)のバネ力が設定値よりも強いと、フロート室(54)内の燃料油面(62)が基準位置よりも低い位置でフロート(57)の自重と浮力が釣り合うこととなる。このため、燃料油面(62)とメインノズル(65)上端までの水頭差が大きくなってベンチュリ部(55)内への燃料の吸い出しに高い負圧が必要となり、芝刈機本体のクラッチを接続した場合など、急激に高負荷が加わるとエンスト等の不具合を生じる問題がある。
【０００８】
一方、戻しスプリング(63)のバネ力が設定値よりも弱いと、気化器を所定角度(α)まで傾けてもフロート(57)を閉弁方向へ揺動させることができず、上記燃料出口(61)をフロート針弁(59)で閉止できなくなる。このため、燃料供給管(60)の燃料出口(61)からフロート室(54)内へ燃料が流入し、燃料油面(62)が上昇して傾斜対応パイプ(64)からメインノズル(65)を経てベンチュリ部(55)へ燃料が流出し、エアクリーナに燃料が流入して始動不良を引き起こす問題がある。
【０００９】
本発明は上記問題点を解消し、空燃混合比等の調整が容易であり、急激に高負荷が加わってもエンストのおそれがなく、しかも所定角度だけ傾斜したときにフロート室内への燃料の流入を確実に停止できるエンジンの気化器を提供することを技術的課題とする。
【００１０】
【課題を解決するための手段】
本発明は上記課題を解決するために、例えば、本発明の実施の形態を示す図１から図６に基づいて説明すると、エンジンの気化器を次のように構成したものである。
即ち、請求項１に記載の発明は、気化器本体(２)の下方に燃料容器(３)を装着してフロート室(４)を構成し、このフロート室(４)内でフロート(７)を支持ピン(８)に上下揺動自在に枢支し、上記フロート(７)に連係したフロート針弁(９)を、上記フロート室(４)内で開口する燃料供給管(10)の燃料出口(11)に臨ませて、フロート(７)の上下揺動により上記フロート針弁(９)で上記燃料出口(11)を開閉するように構成し、上記フロート室(４)内でフロート(７)の下方に錘案内部材(17)を固設し、この錘案内部材(17)に、水平面に対し所定角度(θ)傾斜して上記フロート(７)へ向かう傾斜案内面(18)を形成し、この傾斜案内面(18)上に移動錘(19)を移動可能に配置したエンジンの気化器において、
気化器本体(２)のベンチュリ部(５)から垂設したメインノズル取付筒(６)の下部に、上記錘案内部材(17)を外嵌して固設したものであることを特徴とする。
【００１１】
【００１２】
【００１３】
請求項２に記載の発明は、上記請求項１に記載の発明において、上記移動錘(19)をローラー形状にしたものである。
【００１４】
上記移動錘は、自重により傾斜案内面上を移動できるものであればよく、特定の形状に限定されないが、球状やローラ形状のように回転可能な形状であれば円滑に移動できるのでより好ましい。
上記傾斜案内面は筒状やＵ溝状など、移動錘を案内できる任意の形状に形成することができる。
【００１５】
上記錘案内部材は耐ガソリン性のある材料で構成すればよく、金属や合成樹脂、その他の材料を用いることができる。なお、移動錘も耐ガソリン性のある材料であればよいが、比重の大きい金属材料で構成すると傾斜により移動し易いので好ましい。
【００１６】
【作用】
気化器が所定角度まで傾斜していない状態では、移動錘はその自重により傾斜案内面上で下方に位置しており、フロートとは接触していない。このため、燃料出口はフロートの自重と浮力との釣り合いによりフロート針弁で開閉される。
一方、気化器が所定角度以上に傾斜すると、移動錘はその自重により傾斜案内面上をフロート側へ移動し、フロートに突き当たる。この結果、フロートは移動錘に押圧されて閉弁方向へ揺動し、フロート針弁で燃料供給管の燃料出口が閉止される。
【００１７】
上記錘案内部材は、気化器本体のベンチュリ部から垂設したメインノズル取付筒に外嵌して固設してもよい。錘案内部材をメインノズル取付筒に外嵌する場合は、このメインノズル取付筒の下部側方に突設した傾斜対応パイプで錘案内部材の固設方向を特定することができる。
【００１８】
上記移動錘をローラー形状にした場合、同一重量・同一外径であれば球状である場合に比べて幅を狭くすることができ、狭いフロート室内に収容し易い。また、ローラー形状にすると幅を狭くしたまま外径を大きくできるが、この場合には回転による移動や傾斜案内面による案内が円滑となるうえ、錘案内部材とフロートとの間から移動錘が落下するおそれがなくなるので、より好ましい。
【００１９】
【実施の形態】
以下、本発明の実施の形態を図面に基づき説明する。
図１および図２は本発明の第１参考形態を示し、図１は正立状態での気化器の断面図、図２は所定角度傾斜させた状態での気化器の部分断面図である。
【００２０】
図１に示すように、この気化器(１)は、気化器本体(２)の下方に燃料容器(３)を装着してフロート室(４)を構成し、このフロート室(４)内でベンチュリ部(５)から垂設したメインノズル取付筒(６)の周囲にフロート(７)を配置し、このフロート(７)を支持ピン(８)に上下揺動自在に枢支してある。上記フロート(７)にはフロート針弁(９)を連係してあり、このフロート針弁(９)を、上記フロート室(４)内で開口する燃料供給管(10)の燃料出口(11)に臨ませて、フロート(７)の上下揺動により上記燃料出口(11)を開閉するように構成してある。
【００２１】
上記メインノズル取付筒(６)の下部には傾斜対応パイプ(12)が側方に付設してあり、この傾斜対応パイプ(12)とメインノズル取付筒(６)内のメインノズル(13)を介してフロート室(４)内がベンチュリ部(５)に連通している。なお、符号(14)はチョーク弁を、符号(15)はスロットル弁をそれぞれ示す。
【００２２】
ベンチュリ部(５)の負圧によりメインノズル(13)と傾斜対応パイプ(12)を通してフロート室(４)内の燃料が吸引されるが、燃料油面(16)が低下するとフロート(７)が下方へ揺動して上記燃料出口(11)が開口し、燃料供給管(10)から燃料が流入する。燃料の流入により燃料油面(16)が上昇するとフロート(７)が上方へ揺動してフロート針弁(９)で上記燃料出口(11)が閉止され、フロート室(４)内への燃料の流入が停止する。
【００２３】
上記フロート室(４)内には、フロート(７)の下方に筒状の錘案内部材(17)を、水平面に対し、例えば５０〜８５度、好ましくは７５度以上の範囲内で所定角度(θ)に傾斜させて配設してあり、この錘案内部材(17)の基端を燃料容器(３)の内面に固定し、先端を開口して上記フロート(７)の下面に臨ませてある。なお、この錘案内部材(17)とフロート(７)との間には、フロート(７)が十分に揺動できるだけの間隙を空けてある。
【００２４】
上記錘案内部材(17)の内部には上記所定角度(θ)に傾斜して上記フロート(７)へ向かう傾斜案内面(18)が形成されており、この傾斜案内面(18)上に鋼球製の移動錘(19)を移動可能に配置してある。草刈り機等では運転中等に機体が傾斜する場合があるが、機体とともに気化器(１)が傾斜しても、上記所定角度(θ)以下での傾斜状態では上記移動錘(19)は傾斜案内面(18)上の下方に位置しており、上記フロート(７)とは接触しない。即ち、運転中の機体とともに気化器(１)が正立している状態や上記所定角度(θ)以下で傾斜している状態では、このフロート(７)の自重と浮力との釣り合いのみにより上記燃料出口(11)がフロート針弁(９)で開閉される。
【００２５】
運転休止中やメンテナンス時などに機体を横倒しにする場合、例えば図２に示すように、機体とともに気化器(１)が上記所定角度(θ)よりも大きな角度(α)に傾斜すると、上記傾斜案内面(18)の先端が低下し、錘案内部材(17)の基端側に位置していた上記移動錘(19)が自重によりこの傾斜案内面(18)上を転がってフロート(７)側へ移動し、フロート(７)の下面に突き当たる。この結果、フロート(７)は移動錘(19)に押圧されて閉弁方向(図２における時計回り方向)へ揺動し、フロート針弁(９)で燃料供給管(10)の燃料出口(11)が閉止され、フロート室(４)内への燃料の流入が停止する。
なお、図２に示すようにこの傾斜状態では、上記傾斜対応パイプ(12)の入口が燃料油面(16)上に突出するので、燃料がこのフロート室(４)内からベンチュリ部(５)へ流出することが抑制される。
【００２６】
図３および図４は本発明の実施形態を示し、図３は錘案内部材の一部破断斜視図、図４は所定角度傾斜させた状態での気化器の部分断面図である。
【００２７】
この実施形態では、図３に示すように、錘案内部材(17)をメインノズル取付筒(６)の下部に外嵌して固設するように構成してある。
即ち、この錘案内部材(17)は円筒状の固定部(20)と傾斜案内面(18)とを備えており、この傾斜案内面(18)は上記固定部(20)の中心軸とは捩れた方向で、水平面に対して所定角度(θ)に傾斜させてある。そしてこの傾斜案内面(18)上に、上記第１参考形態と同様の移動錘(19)を移動可能に配置してある。
【００２８】
上記固定部(20)の側面には上方からＵ字形の嵌合溝(21)を形成してあり、この固定部(20)をメインノズル取付筒(６)の下部に外嵌する際に、メインノズル取付筒(６)の側方に突設した傾斜対応パイプ(12)を上記嵌合溝(21)に嵌合させて、錘案内部材(17)のメインノズル取付筒(６)に対する固設方向を特定させ、平面視で上記傾斜案内面(18)の案内方向と上記傾斜対応パイプ(12)の中心軸とが略平行となるように構成してある。
【００２９】
上記錘案内部材(17)を固設する気化器は、上記第１参考形態と同様の構造であり同様に作動するので説明を省略するが、この実施形態においても、気化器の傾斜が上記所定角度(θ)以下であれば、図３に示すように、移動錘(19)は傾斜案内面(18)上の下方に位置している。
【００３０】
図４に示すように、上記錘案内部材(17)を固設した気化器(１)が、上記所定角度(θ)よりも大きな角度(α)で傾斜すると、傾斜案内面(18)の先端が低下し、移動錘(19)が自重によりこの傾斜案内面(18)上を転がってフロート(７)側へ移動し、フロート(７)の下面に突き当たる。この結果、上記第１参考形態と同様、フロート(７)は移動錘(19)に押圧されて閉弁方向へ揺動し、フロート針弁(９)で燃料供給管(10)の燃料出口(11)が閉止され、フロート室(４)内への燃料の流入が停止する。また、傾斜対応パイプ(12)の入口が燃料油面(16)上に突出し、フロート室(４)内からベンチュリ部(５)への燃料の流出が抑制される。
【００３１】
図５および図６は本発明の第２参考形態を示し、図５は正立状態での気化器の断面図、図６は錘案内部材の一部破断斜視図である。
【００３２】
図５及び図６に示すように、この第２参考形態ではローラー形状の移動錘(19)を用いてあり、傾斜案内面(18)を凹溝状に形成してある。気化器(１)が所定角度(θ)よりも大きく傾斜すると、図５の仮想線に示すように移動錘(19)が移動し、フロート(７)の下面を押圧してフロート(７)を閉弁方向へ揺動させる。
上記移動錘(19)はローラー形状であるので、上記実施形態等の球状である場合に比べて、同一重量、同一外径であれば幅を狭くでき、フロート室(４)内へコンパクトに収容できる。また、この移動錘(19)の外径を大きくすることで、凹溝状の傾斜案内面(18)で円滑に案内できるうえ、錘案内部材(17)とフロート(７)との間隔が広くても、この間隙から移動錘(19)が落下するおそれがない。
その他の構造は上記第１参考形態と同様であり、同様に作動するので説明を省略する。
【００３３】
なお、上記実施形態では球状とローラー形状の移動錘について説明したが、本発明に用いる移動錘は傾斜により移動できるものであれば、他の形状であってもよく、また錘案内部材や傾斜案内面も上記実施形態以外の形状を採用できることは言うまでもない。
【００３４】
【発明の効果】
本発明は上記のように構成され作用することから、次の効果を奏する。
【００３５】
（１）気化器が所定角度まで傾斜していない状態では、移動錘はその自重により下方に位置してフロートとは接触せず、燃料出口がフロートの自重と浮力との釣り合いによりフロート針弁で開閉されることから、燃料油面は設定位置に維持される。この結果、前記戻しスプリングを用いる従来技術の気化器に比べて空燃混合比等の調整が容易であり、また、釣り合う燃料油面が設定位置よりも低下しないことから、設定負圧で燃料をベンチュリ部へ供給でき、芝刈機本体のクラッチを接続した場合など、急激に高負荷が加わってもエンストするおそれがない。
【００３６】
（２）一方、気化器が所定角度以上に傾斜すると、移動錘はその自重により傾斜案内面上をフロート側へ移動し、フロートを押圧して閉弁方向へ揺動させるので、フロート針弁で燃料供給管の燃料出口を閉止してフロート室内への燃料の流入を確実に停止することができる。
しかも移動錘は傾斜時に傾斜案内面を移動してフロートを押圧するだけであるので、所定以上の重量と移動性能があれば精緻な寸法精度などを必要とせず、製作コストを低減して安価に実施することができる。
【００３７】
【００３８】
（３）気化器本体のベンチュリ部から垂設したメインノズル取付筒の下部に、上記錘案内部材を外嵌して固設する場合、このメインノズル取付筒の下部側方に突設した傾斜対応パイプで錘案内部材の固設方向を特定することができ、傾斜案内面により移動錘を所定の方向からフロートへ案内できるのでより好ましい。
【００３９】
（４）上記移動錘をローラー形状にした場合、同一重量・同一外径であれば球状である場合に比べて幅を狭くすることができ、狭いフロート室内に収容し易い。しかも、外径を大きくすることにより、回転による移動や傾斜案内面による案内を円滑にできるうえ、錘案内部材とフロートとの間から移動錘が落下するおそれをなくすことができるので、より好ましい。
【図面の簡単な説明】
【図１】  本発明の第１参考形態を示す、正立状態での気化器の断面図である。
【図２】  本発明の第１参考形態を示す、所定角度傾斜させた状態での気化器の部分断面図である。
【図３】  本発明の実施形態を示す、錘案内部材の一部破断斜視図である。
【図４】  本発明の実施形態を示す、図２相当図である。
【図５】  本発明の第２参考形態を示す、図１相当図である。
【図６】  本発明の第２参考形態を示す、錘案内部材の一部破断斜視図である。
【図７】  従来技術を示す、図１相当図である。
【図８】  従来技術を示す、図２相当図である。
【符号の説明】
１…気化器、
２…気化器本体、
３…燃料容器、
４…フロート室、
５…ベンチュリ部、
６…メインノズル取付筒、
７…フロート、
８…支持ピン、
９…フロート針弁、
10…燃料供給管、
11…燃料出口、
17…錘案内部材、
18…傾斜案内面、
19…移動錘、
θ…傾斜案内面の傾斜角度。
【図１】
0003711216.tif 000002
【図２】
0003711216.tif 000003
【図３】
0003711216.tif 000004
【図４】
0003711216.tif 000005
【図５】
0003711216.tif 000006
【図６】
0003711216.tif 000007
【図７】
0003711216.tif 000008
【図８】
0003711216.tif 000009